【事件の表示】
　特許第３０１０５５９号「印刷システムならびに印刷制御方法および装置」の請求項５、１０ないし１２に係る特許に対する特許異議の申立てについて、次のとおり決定する。
【結　論】
　特許第３０１０５５９号の請求項５、１０ないし１２に係る特許を維持する。
【理　由】
１．手続きの経緯・本件発明
　特許第3010559号の請求項５、請求項１０、請求項１１、請求項１２に係る発明についての出願は、平成2年4月18日に特許出願され、平成11年12月10日にそれらの発明について特許権の設定登録がなされ、その後、その特許について異議申立人　飯島　洋により特許異議の申立てがなされ、取消の理由が通知され、その指定期間内である平成13年3月19日に特許異議意見書の提出があったものである。
　
２．特許異議申立てについて
（１）特許異議申立ての概要
　本件の請求項５、請求項１０、請求項１１、請求項１２に係る発明は、甲第１号証刊行物（特開平1−160661号公報、以下「刊行物１」という。）および甲第２号証刊行物（特開昭61−185470号公報、以下「刊行物２」という。）記載の発明であるか、それらに基づいて当業者が容易に発明をすることができたものであるから、特許法第29条第１項あるいは第2項の規定により特許を受けることができないものである。
　
（２）本件発明
　特許明細書および図面の記載からみて、請求項５、請求項１０、請求項１１、請求項１２に係る発明は、その特許請求の範囲の請求項５、請求項１０、請求項１１、請求項１２に記載された次のとおりのものである。（以下、それぞれ「本件発明５」、「本件発明１０」、「本件発明１１」、「本件発明１２」といい、まとめて「本件発明」という。）
　
［請求項５］　中間トレイを内蔵した両面印刷機構付きプリンタを制御する印刷制御装置において、印刷すべき各論理ページの内容を描画する複数ページ分のページバッファーと、前半処理部および後半処理部からなる両面印刷制御手段とを備え、前記前半処理部は、印刷すべき各論理ページの通し番号を更新するページ通し番号更新部と、該ページ通し番号の偶奇を判定する奇数ページ・偶数ページ判定部と、奇数ページについて、前記ページバッファへの描画および当該描画内容を、中間トレイを排紙部として用紙表面に印刷する表面印刷処理の起動を行う奇数ペ−ジ処理部と、偶数ページについて前記ページバッファへの描画を行う偶数ページ処理部とにより構成し、前記後半処理部は、前記偶数ページ処理部による描画内容を、中間トレイを給紙部として用紙裏面に印刷する裏面印刷処理の起動を行う裏面印刷処理起動部により構成し、予め定めた条件が成立するまで、前記前半処理部による処理を行い、前記条件が成立すると、前記後半処理部による処理に移行することを特徴とする印刷制御装置。
　
［請求項１０］　中間トレイを内蔵した両面印刷機構付きプリンタを制御する印刷制御装置において、印刷すべき各論理ページの内容を描画する複数ページ分のページバッファと、前半処理部および後半処理部からなる両面印刷制御手段とを備え、前記前半処理部は、印刷すべき各論理ページが表面か裏面かを判定する表裏判定部と、表面ページについて前記ページバッファへの描画および当該描画内容を、中間トレイを排紙部として用紙表面に印刷する表面印刷処理の起動を行う表面ページ処理部と、裏面ページについて前記ページバッファへの描画を行う裏面ページ処理部とにより構成し、前記後半処理部は、前記裏面ページ処理部による描画内容を、中間トレイを給紙部として用紙裏面に印刷する裏面印刷処理の起動を行う裏面印刷起動部により構成し、予め定めた条件が成立するまで、前記前半処理部による処理を行い、前記条件が成立すると、前記後半処理部による処理に移行することを特徴とする印刷制御装置。
　
［請求項１１］　中間トレイを内蔵した両面印刷機構付きプリンタを制御す両面印刷制御方法であって、
ａ）複数ページにわたる印刷データを受けて、順次各ページが表面か裏面かを判断し、
ｂ）表面であれば、当該ページの描画をページバッファに対して行うとともに、前記中間トレイを排紙部として当該描画内容の表面印刷を行い、
ｃ）裏面であれば、当該ページの描画をページバッファに対して行い、
ｄ）予め定めた条件が満足されるまで前記処理ａ）〜ｃ）を反復して実行し、
ｅ）前記条件が満足されたとき、前記処理ｃ）で描画された裏面ページに対応するページバッファの描画内容について、前記中間トレイに格納された用紙に対して当該中間トレイを給紙部として裏面印刷を行うことを特徴とする両面印刷制御方法。
　
［請求項１２］　前記予め定めた条件は、印刷すべき文書の終了、最終ページバッファへの描画完了、前記中間トレイの満杯、紙サイズの変更のうちの少なくとも一つが検出されることである請求項１１記載の両面印刷制御方法。
　
（３）刊行物記載の発明
［刊行物１記載の発明］
ａ．描画処理について
ア）印刷制御装置2において、10は用紙５枚分の表裏分、すなわち１０ページ分のドットパターンデータを蓄積可能なフルドットメモリである。11はホスト側チャンネル3より送られた印刷データ（フォーム情報、印字データなど）をドットパターンに展開し、それをフルドットメモリ10に格納する編集部である。12はフルドットメモリの書込みおよび読出しに関連した制御などを行う制御部であり、13はフルドットメモリ10をページ単位で管理するために制御部12が利用する管理テーブルである。（第2頁右下欄末行〜第3頁左上欄第10行参照）
イ）第３図はフルドットメモリ10の説明図である。フルドットメモリ10は１０ページからなる。各ページのサイズは一定であり、ページ単位で書込み及び読出しが管理される。印刷を行う場合、最初の１枚目の表面および裏面の印刷データがページ１およびページ２に格納され、２枚目の各面の印刷データがページ３およびページ４に格納され、同様に５枚目の各面の印刷データがページ９およびページ１０に格納される。ページ１およびページ２に格納された印刷データの印刷が終了すると、６枚目の用紙の印刷データのドットパターン展開が実行され、ページ1およびページ2に格納される。７枚目の用紙の印刷データのドットパターン展開は、ページ３およびページ４が空きになると実行される。（第3頁左上欄第13行〜右上欄第7行参照）
　
　この記載を対比のためにまとめると、刊行物１記載の発明の描画処理は、
「ホスト側から送信された印刷データをドットパターンに展開し、フルドットメモリのページ１、ページ２、ページ３、・・・に順番に格納する。
　印刷データが用紙の表裏いずれに印刷されるかは、印刷データが順番に格納されたフルドットメモリのページ番号の偶奇により決まる。」
 
ｂ．印刷処理について
ア）まず第２図によって、両面印刷プリンタ1の構造について説明する。51は印刷に用いる用紙（カット紙）を収納したホッパであり、52はホッパ51から用紙を１枚ずつ取出して印刷部53へ供給する給紙機構である。・・・57は裏面（図中、下面）に印刷が行われた用紙を表面の印刷のために印刷部53へ戻す用紙転送路であり、途中に用紙の表裏反転を行うための用紙反転器58と、用紙の到着を検出するための用紙センサ59が設けられている。60は両面に印刷された用紙を収容するためのスタッカである。（第2頁左下欄第1行〜同欄第16行参照）
イ）制御部12はドットパターン展開の進行状況を監視し、第２ページ（１枚目の用紙の裏面）の印刷データのドットパターン展開の完了を待ち（ステップ１０１）、その完了を確認すると、フラグ15をセットして信号ｃをオンすることにより両面印刷プリンタ1に給紙を要求する（ステップ１０２）。この時点で信号ａはオフしているから、直ちに信号ｄがオンしてフリップフロップ6がセットし、給紙機構52が作動して用紙が印刷部53へ供給される。制御部12は信号ｃをオンすると、信号ｅのオンを待つ（ステップ１０３）。信号ｅがオンすると、フルドットメモリ10内のページ２に格納されている印刷データをプリンタアダプタ14を通じて両面印刷プリンタ1へ転送させ、印刷を行わせる（ステップ１０４）。なお、フラグ15はリセットされて信号ｃはオフし、またフリップフロップ6はリセットされ、したがって信号ｅはオフする。
　次に制御部12は第４ページ（２枚目の用紙の裏面）の印刷データのドットパターン展開の完了を調べ（ステップ１０５）、完了ならば信号ｃをオンし（ステップ１０６）、信号ｅのオンを調べる（ステップ１０７）。この場合も直ちに信号ｅがオンするので、フルドットメモリ10のページ４に格納された印刷データが両面印刷メモリ1へ転送されて印刷される（ステップ１０８）。
　同様の制御により、ステップ１０９で５枚目の裏面印刷が完了すると、制御部12は表面印刷の制御に切りかわり、信号ａのオンを待つ（ステップ１１０）。用紙転送路57により転送され、用紙反転器58によって表裏を反転された１枚目の用紙が印刷部53に戻った時に、カウンタ4の出力信号ａがオンすると、制御部12はフルドットメモリ10のページ１に格納されている１枚目の用紙の表面の印刷データ（第１ページのデータ）を両面印刷プリンタ1へ転送し、印刷を行わせる（ステップ１１１）。
　次に制御部12は信号ａのオンを待ち（ステップ１１２）、オンしたならばフルドットメモリ10のページ３のデータを両面印刷プリンタ1へ転送して印刷を行わせる（ステップ１１３）。表面印刷後の用紙はスタッカ60に送出される。
　同様の制御により、ステップ１１４で５枚目の用紙の表面（第９ページ）の印刷が完了すると、制御部12は再び裏面印刷の制御に切りかわる。ステップ１１５で６枚目の用紙の両面の印刷データのドットパターン展開の完了を確認すると、信号ｃをオンし（ステップ１１６）、ステップ１１７で信号ｅのオンを確認すると、ステップ１１８で第１２ページの印刷データ（フルドットメモリ10のページ２に格納されている）を両面プリンタ1へ転送し、印刷させる。以下同様の制御により、連続的に印刷が行われる。その印刷ページ順は(2)→(4)→(6)→(8)→(10)→(1)→(3)→(5)→(7)→(9)→(12)→(14)→  ・・・となる。（第3頁左下欄第11行〜第4頁右上欄第6行参照）
ウ）なお、両面印刷プリンタ1内の制御部53、感光ベルト54および発光部55を用紙の上側に配置し、表面印刷、裏面印刷の順に行わせることも可能である。（第4頁右下欄第1行〜同欄第4行参照）
 
　この記載を対比のためにまとめると、摘記事項ウ）からみて、表面印刷、裏面印刷のいずれの順にても行うことができるから、表面印刷、裏面印刷の順であると言い換えると、刊行物１記載の発明の印刷処理は、
「第１ページの印刷データのドットパターン展開が完了すると、フルドットメモリ内のページ１に格納されている印刷データをプリンタアダプタを通じて両面印刷プリンタへ転送させ、用紙反転器58を排紙部として用紙の裏面に印刷を行わせる。
　同様に第３ページ、第５ページ、第７ページ、第９ページの印刷データのドットパターン展開が完了すると、印刷を行わせる。
　５枚目の表面印刷が完了すると、裏面印刷の制御に切りかわり、制御部12はフルドットメモリ10の偶数ページに格納されている用紙の表面の印刷データを両面印刷プリンタ1へ転送し、用紙反転器58を給紙部として印刷を行わせる。」
　
［刊行物２記載の発明］
ａ．描画処理について
ア）第２図はこの発明の一実施例を示す制御ブロック図であり、２１は入力データバッファで、オンライン／オフラインの入力装置を経由して読み込まれたデータが格納される。２１ａはバッファ管理テーブルで、入力データバッファ２１の領域を管理する。２２はページバッファで、入力データ解析後に、ページ単位に解析されたデータを格納する。２２ａはページバッファ管理マップで、ページバッファ２２と１対１の対応して印書に必要な情報を格納する。２２ｂはページバッファ管理マップ（ＰＢＭ管理テーブル）で、ページ作成領域を管理する。２３は奇数ページ管理マップ（ＯＰＭ管理マップ）で、ページバッファ管理マップ２２ａで作成されたページを奇数ページ毎に並び変える。２３ａはＯＰＭ管理テーブルで、ＯＰＭ管理マップ２３を管理する。２４は偶数ページ管理マップ（ＥＰＭ管理マップ）で、ページバッファ管理マップ２２ａで作成されたページを偶数ページ毎に並び変える。２４ａはＥＰＭ管理テーブルで、ＥＰＭ管理マップ２４を管理する。２５は中間トレー枚数カウンタで、中間トレー１０に収容された枚数を計数する。２６は表面印書カウンタ、２７は裏面印書カウンタである。（第3頁左上欄第17行〜第3頁右上欄第19行参照）
イ）ページバッファ２２において、ページ作成が終了し、ページバッファ管理マップ２２ａに登録されると、そのページが奇数ページか偶数ページかが判断され、それぞれに対応するＯＰＭおよびＥＰＭ管理マップ２３，２４に登録される。（第4頁右上欄第6行〜同欄第10行参照）
ウ）第６図は作成ページ管理を説明するフローチャートである。・・・入力されるデータを１ページ分のデータにし、バッファ管理テーブル２１ａ中の処理位置情報３４を進め、読込み容量情報35を減らしながらデータを解析し（１）、次にページバッファ２２において１ページ分の入力データの解析が終了したかどうかを判断する（２）。この判断で、ＮＯの場合は、・・・ページデータを転送する（６）。次いで、ＰＢＭ管理テーブル２２ｂの空き位置情報４３および作成数情報４５を更新する（７）。続いて、作成したページが偶数ページであるかどうかを判断し（８）、ＮＯならば、ＥＰＭ管理テーブル２４ａの空き位置情報５３に指示される・・・作成数情報５５を１つ進める（１０）。・・・ステップ（１）〜（１３）を繰り返す。（第4頁右上欄第19行〜右下欄第15行参照）
　
　この記載を対比のためにまとめると、刊行物２記載の発明の描画処理は
「入力装置を経由して読み込まれたデータは、ページ単位に解析されてページバッファに順番に格納され、ページバッファと１対１に対応するページバッファ管理マップに印刷に必要な情報が格納される。ページバッファ管理マップによって作成されたページの偶奇を判定して奇数ページ、偶数ページ毎に並び変える。」
　
ｂ．印刷処理について
ア）第１図はこの発明の一実施例を示す両面印刷装置の断面図で、１は・・・９はガイドローラで、片面コピーの終了した記録紙を中間トレー１０に導く。ガイドロ一ラ９には記録紙の通過を検知するインプットセンサ９ａが設けられている。１１は中間トレー給紙シャツタで、中間トレー１０から給紙される記録紙（片面コピー終了済）の給送を制御する。・・・設けられている。次に両面印刷シーケンスについて説明する。上面給紙シャツタ１まで給紙された記録紙は、・・・ガイドロ一ラ９を通り、中間トレー１０に収容される。この中間トレー１０まで連続して搬送されてきた記録紙は、一時動作を停止する。次に、・・・両面転写が終了した給紙切替爪2と連動する排紙切替爪8に指定されて、排紙される。なお、一般のタイミングでは搬送路上に片面または両面コピーがなされた記録紙が交互に搬送されることになる。（第2頁左下欄第9行〜第3頁左上欄第16行参照）
イ）両面モードとは、片面（表面）印書の済んだ記録紙と表面の印書を行う記録紙を交互に搬送するモードのことである。ステップ（５）の判断で、ＮＯの場合は、無条件に排紙切替爪８を下向きにセットして、中間トレー１０に記録紙を搬送して制御を終了する（６）。一方、ステップ（６）の判断で、ＹＥＳの場合は、上面給紙シャツタ１に連動する排紙切替爪８を所定のタイミングで下向きにセットし、片面印書の済んだ記録紙を中間トレー１０に搬送して制御を終了する（７）。（第5頁右上欄第2行〜同欄第12行参照）
ウ）第１０図（ａ）に示すフローは、インプットセンサ９ａを記録紙が通過するとスタートし、第２図に示す中間トレーカウンタ２５に「１」が足され（１）、印書モードが両面モードかどうかを判断し（２）、ＮＯならな制御を終了し、ＹＥＳならばさらに中間トレー１０の給紙フラグが１、すなわち搬送路に余裕があるかどうかを判断し（３）、ＮＯならば制御を終了し、ＹＥＳならば中間トレー給紙シャツタ１１を開き、記録紙を給紙する（４）。記録紙が給紙されると、アウトプットセンサ１１ａが通電され、第１０図（ｂ）に示すフローがスタートし、中間トレーカウンタ２５より「１」が減算される（１１）。（第5頁左下欄第13行〜右下欄第5行参照）
エ）第１１図（ａ），（ｂ）はこの発明の一実施例を示す両面印刷制御動作を説明するフローチャートである。（１）〜（１７）は各ステップを示す。なお、この両面印書装置は１０枚の記録紙を一度に印書できるタイプのものである。操作者が図示しない操作ボードより、両面印書モードが設定されると、両面制御指令がなされ、各テーブル２１ａ，２２ｂ，２３ａ，２４ａが初期化され（１）、システムフラグとなる片面モードフラグがオンするとともに、両面モードフラグがオフされる（２）。次いで、表面印書カウンタ２６より「１０」を減算し（３）、その値が正であるかどうかを判断し（４）、ＮＯならばステップ（１１）に進み、ＹＥＳの場合は、両面フラグをオンにするとともに、片面モードフラグをオフする（５）。次いで、給紙切替爪２が下向きかどうかを判断し（６）、ＮＯならばステップ（１１）に進み、ＹＥＳならば裏面ページ作成数が「０」であるかどうかを判断し（７）、ＮＯの場合は、さらに、裏面印書準備を待機し（８）、準備終了後、裏面給紙および印書を実行し（９）、裏面印書カウンタ２７に「１」を加算しステップ（３）に戻る（１０）。一方、ステップ（７）の判断で、ＹＥＳの場合は、さらに、表面ページ作成数が「０」であるか、すなわち、前の印書が終了し、かつ上面給紙シャツタ２に記録紙が到達しているかどうかを判断し（１１）、ＮＯの場合は、表面印書準備を待機し（１２）、準備終了後、表面給紙および印書を実行する（１３）、次いで、表面印書カウンタ２６に「１」を加算してステップ（３）に戻る。一方、ステップ（１１）の判断で、ＹＥＳの場合は、入力データが終了したかどうかを判断し（１５）、ＮＯならば両面モードフラグがオンであるかどうか判断し（１６）、ＮＯならばステップ（１１）に、ＹＥＳならばステップ（７）に戻る。一方、ステップ（１５）の判断で、ＹＥＳの場合はさらに、裏面ページ作成数が「０」であるかどうかを判断し（１７）、ＮＯならばステップ（８）へ戻り、ＹＥＳならば制御を終了する。（第5頁右下欄末行〜第6頁右上欄第17行参照）
　
　対比のためにまとめると、刊行物２記載の発明の印刷処理は、
「印刷は排紙切替爪８を所定のタイミングで下向きにセットし、偶奇に分割した管理データを参照しながら、偶・奇（裏・表面）交互あるいは非同期に記録紙滞留手段と同期させながら実行される。」
　
（４）対比・判断
［本件発明５］
　本件発明５を刊行物１記載の発明と対比すると、
ａ．刊行物１記載の発明の「用紙反転器」は本件発明５の「中間トレイ」に相当し、
ｂ．刊行物１記載の発明では各ページの描画や印刷処理について前半処理部、後半処理部と明確な分け方をした記述はないが、ページバッファへの描画と表面ページの印刷処理を前半処理部とし、裏面ページの印刷処理を後半処理部とすると、
両者間には次のような一致点、相違点がある。
（一致点）
　中間トレイを内蔵した両面印刷機構付きプリンタを制御する印刷制御装置において、印刷すべき各論理ページの内容を描画する複数ページ分のページバッファーと、前半処理部および後半処理部からなる両面印刷制御手段とを備え、前半処理部は、奇数ページについて、ページバッファへの描画および当該描画内容を、中間トレイを排紙部として用紙表面に印刷する表面印刷処理の起動を行う奇数ページ処理部と、偶数ページについてページバッファへの描画を行う偶数ページ処理部とにより構成し、後半処理部は、偶数ページ処理部による描画内容を、中間トレイを給紙部として用紙裏面に印刷する裏面印刷処理の起動を行う裏面印刷処理起動部により構成し、予め定めた条件が成立するまで、前半処理部による処理を行い、条件が成立すると、後半処理部による処理に移行することを特徴とする印刷制御装置。
（相違点）
　前半処理部の描画について、本件発明５が印刷すべき各論理ページの通し番号を更新するページ通し番号更新部において更新されたページ通し番号を、奇数ページ・偶数ページ判定部においてその偶奇を判定した後、奇数ページ処理部において奇数ページをページバッファへ描画すると共に、偶数ページ処理部において偶数ページをページバッファへ描画するのに対して、刊行物１記載の発明はホスト側から送信された印刷データを解析してフルドットメモリのページ１、ページ２、ページ３、・・・に順番に格納し、印刷データが格納されたフルドットメモリのページ番号によって用紙の表裏いずれに印刷されるかが決まるものであって、ページ通し番号更新部や奇数ページ・偶数ページ判定部を有していない点
（相違点の検討）
　刊行物２記載の発明は、入力装置を経由して読み込まれたデータが、ページ単位に解析されてページバッファに順番に格納され、ページバッファと１対１に対応するページバッファ管理マップに印刷に必要な情報が格納され、ページバッファ管理マップによって作成されたページの偶奇を判定して奇数ページ、偶数ページ毎に並び変えるものであって、本件発明５のように印刷すべき各論理ページの通し番号を更新するページ通し番号更新部において更新されたページ通し番号を、奇数ページ・偶数ページ判定部においてその偶奇を判定した後、描画するものでないし、他にこのような描画処理が周知でもないから、この相違点が当業者が容易に考えつくことができた構成の変更であるとすることはできない。
　本件発明は印刷すべき各論理ページの通し番号を更新するページ通し番号更新部を備え、更新されたページ番号の偶奇を判定してそのページを用紙の表面に印刷するか裏面に印刷するかを決定するものであるため、印刷条件設定に応じて、文書の論理ページの通し番号の偶奇とページバッファの表裏の対応を変えることが可能となり、一文書の用紙毎の紙サイズを裏面印刷用に指定した場合の処理を支障なく行うことができるという明細書記載の作用効果を奏する。
　
［本件発明１０］
　上記の本件発明５の対比を参照しながら、本件発明１０と刊行物１記載の発明を対比すると、次のような一致点、相違点がある。
（一致点）
　中間トレイを内蔵した両面印刷機構付きプリンタを制御する印刷制御装置において、印刷すべき各論理ページの内容を描画する複数ページ分のページバッファと、前半処理部および後半処理部からなる両面印刷制御手段とを備え、前半処理部は、表面ページについて、ページバッファへの描画および当該描画内容を、中間トレイを排紙部として用紙表面に印刷する表面印刷処理の起動を行う表面ペ−ジ処理部と、裏面ページについてページバッファへの描画を行う裏面ページ処理部とにより構成し、後半処理部は、表面ページ処理部による描画内容を、中間トレイを給紙部として用紙裏面に印刷する裏面印刷処理の起動を行う裏面印刷処理起動部により構成し、予め定めた条件が成立するまで、前半処理部による処理を行い、条件が成立すると、後半処理部による処理に移行することを特徴とする印刷制御装置た印刷制御装置。
（相違点）
　前半処理部における描画について、本件発明が印刷すべき各論理ページが表面か裏面かを判定する表裏判定部においてその表裏を判定した後、表面ページ処理部において表面ページをページバッファへ描画すると共に、裏面ページ処理部において裏面ページをページバッファへ描画するのに対して、刊行物１記載の発明はホスト側から送信された印刷データをフルドットメモのページ１、ページ２、ページ３、・・・に順番に格納するものであって、特に表裏ページ判定部を有していない点
（相違点の検討）
　刊行物２記載の発明は入力装置を経由して読み込まれたデータは、ページ単位に解析されてページバッファに順番に格納され、ページバッファと１対１に対応するページバッファ管理マップに印刷に必要な情報が格納され、ページバッファ管理マップによって作成されたページの偶奇を判定して奇数ページ、偶数ページ毎に並び変えるものであって、本件発明１０のように表裏判定部において印刷すべき各論理ページの表裏を判定した後、描画するものでないし、他にこのような描画処理が周知でもないから、この相違点が当業者が容易に考えつくことができた構成の変更であるとすることはできない。
　本件発明１０は印刷すべき各論理ページの偶奇を表裏ページ判定部において判定してそのページを用紙の表面に印刷するか裏面に印刷するかを決定するものであるため、印刷条件設定に応じて各論理ページを表裏ページいずれに印刷するかを設定しておけば、文書の論理ページの通し番号の偶奇とページバッファの表裏の対応を変えることが可能となり、一文書の用紙毎の紙サイズを裏面印刷用に指定した場合の処理を支障なく行うことができるという明細書記載の作用効果を奏する。
　
［本件発明１１］
　本件発明１１と刊行物１記載の発明を対比すると、次のような一致点、相違点がある。
（一致点）
　中間トレイを内蔵した両面印刷機構付きプリンタを制御する両面印刷制御方法であって、
ａ）複数ページにわたる印刷データを受けて、
ｂ）表面に印刷すべきページの描画をページバッファに対して行うとともに、中間トレイを排紙部として当該描画内容の表面印刷を行い、
ｃ）裏面に印刷すべきページの描画をページバッファに対して行い、
ｄ）予め定めた条件が満足されるまで前記処理ａ）〜ｃ）を反復して実行し、
ｅ）前記条件が満足されたとき、前記処理ｃ）で描画された裏面ページに対応するページバッファの描画内容について、前記中間トレイに格納された用紙に対して当該中間トレイを給紙部として裏面印刷を行うことを特徴とする両面印刷制御方法。
（相違点）
　本件発明１１は複数ページにわたる印刷データを受けて、順次各ページが表面か裏面を判断した後、ページバッファに対して描画するのに対して、刊行物１記載の発明はホスト側から送信された印刷データをフルドットメモリのページ１、ページ２、ページ３、・・・に順番に格納するものであって、各ページが表面か裏面を判断する処理を有しない点
（相違点の検討）
　刊行物２記載の発明は入力装置を経由して読み込まれたデータは、ページ単位に解析されてページバッファに順番に格納され、ページバッファと１対１に対応するページバッファ管理マップに印刷に必要な情報が格納され、ページバッファ管理マップによって作成されたページの偶奇を判定して奇数ページ、偶数ページ毎に並び変えるものであって、本件発明１１のように印刷すべき各論理ページの表裏を判断した後、描画するものでないし、他にこのような描画処理が周知でもないから、この相違点が当業者が容易に考えつくことができた構成の変更であるとすることはできない。
　本件発明１１は印刷すべき各論理ページの表裏を判断してそのページを用紙の表面に印刷するか裏面に印刷するかを決定するものであるため、印刷条件設定に応じて各論理ページを表裏ページいずれに印刷するかを設定しておけば、文書の論理ページの通し番号の偶奇とページバッファの表裏の対応を変えることが可能となり、一文書の用紙毎の紙サイズを裏面印刷用に指定した場合の処理を支障なく行うことができるという明細書記載の作用効果を奏する。
　
［本件発明１２］
　本件発明１２は本件発明１１を全て引用する発明であり、上で述べたように本件発明１１が刊行物１および２に基づいて当業者が容易に発明をすることができたものでない以上、本件発明１２についても刊行物１および２に基づいて当業者が容易に発明をすることができたものではない。
　
（６）まとめ
　したがって、本件発明５，１０，１１，１２が刊行物１または刊行物２記載の発明であるとすることはもちろんのこと、刊行物１および刊行物２記載の発明、および周知技術に基づいて当業者が容易に発明をすることができたものであるとすることもできない。
　
３．むすび
　以上のとおりであるから、特許異議申立の理由および証拠によっては、本件発明５，１０，１１，１２についての特許を取り消すことができない。
　また、他に本件発明についての特許を取り消すべき理由を発見しない。
　したがって、本件発明５，１０，１１，１２についての特許は拒絶の査定をしなければならない特許出願に対してされたものと認めない。
　よって、平成６年改正法附則第14条の規定に基づく、平成６年改正法の施行に伴う経過措置を定める政令（平成７年政令第２０５号）第4条第2項の規定により、結論のとおり決定する。
【異議決定日】
平成１３年１２月１３日（２００１．１２．１３）